(57)【要約】【課題】組立と分解をスピーディーに行うことができ、便利に運搬できる組立式小型塗装作業用箱を提供する。【解決手段】底板１から伸びるように設置された延伸板２、左右両側にそれぞれ設置された側面板３、両側の側面板３の上方及び背後にそれぞれ設置された天板４及び背面板５からなる箱型をしている。箱の空間内にさらに蜂の巣型ろ過網板８、内面板６が設置されている。それぞれの板ははめ込み式で結合され、塗装物件が底板１の前に伸びた延伸板２の回転台９の上に置かれて、回転しながら、塗装を施す。各板がはめ込み式で結合されることにより、組立や分解が便利でスピーディーに行われる上、分解後も場所を取らず、運搬もしやすい。【選択図】図１
0003132594.tif 000002
【実用新案登録請求の範囲】
【請求項１】
底板、延伸板、側面板、天板、斜め板、背面板、内面板、蜂の巣型ろ過網板及び回転台から構成され、
前記底板、天板の周辺にはそれぞれ穴が設置され、延伸板、側面板、背面板の周辺にそれぞれ設置されている突起部に対応してはめ込まれて結合し、
底板には２個のくぼみ槽が設置され、それぞれ蜂の巣型ろ過網板、内面板の底部にはめ込まれて固定され、
側面板の内面には折れた角が延びたスライド槽を有し、垂直の角度で内面板の側面にはめ込まれ、斜めの角度で斜め板がはめ込まれ、
内面板に開けられた穴の位置には前方に通気性のあるリング、フレーム及びろ過網が取り付けられ、
天板の面には数個の塗装用エアガンを置くための差込スタンド、穴が設置され、
底板、２つの側面板、天板、背面板が組み合わされ、
箱の空間内に斜め板、内面板、蜂の巣型ろ過網板が設置され、
延伸板と底板が結合され、
回転台が置かれ、
各面の板がはめ込み式で組み立てられ、組立と分解が便利でスピーディーに行え、分解後も場所を取らず、運搬に便利であることを特徴とする組立式小型塗装作業用箱。
【請求項２】
箱内には送風機が組み合わされ、内面板の穴の位置に取り付けられ、
送風機の出口の箇所に伸縮ホースが連結されて側面板の穴を貫通し、
塗装作業を行う際に、塗料を含んだ空気が集中して吸いこまれて箱の外に拡散することを防止することを特徴とする請求項１に記載の組立式小型塗装作業用箱。
【請求項３】
箱内にはランプホルダーが設置され、
照明が強化されて作業の状態を観察可能であることを特徴とする請求項１に記載の組立式小型塗装作業用箱。
【請求項４】
箱内には数個のクリップバーが設置され、
安定して置くことが難しい塗装物件を挟んで固定可能であることを特徴とする請求項１に記載の組立式小型塗装作業用箱。
【考案の詳細な説明】
【技術分野】
【０００１】
本考案は、組立式小型塗装作業用箱に関し、特に、数枚の板をはめ込んで組み合わせて箱型にすることにより、塗装物件を箱の内部空間に置いて塗装作業をすると同時に、ボックス内の送風機を利用して塗料を含んだ空気を吸い込んで換気することを特徴とする組立式小型塗装作業用箱に関する。さらに、本考案の組立式小型塗装作業用箱は、使用に便利で、組み立て及び分解が簡単にできることにより、分解後も場所を取ることなく、持ち運びができ、塗料を含んだ空気が外に飛び散ることがないので、環境保護の目的も果たす。
【背景技術】
【０００２】
小型の物件の塗装に使用される設備は様々であり、最も基本である刷毛によって塗料を塗る方法から、専属の塗装台を使用する方法まで様々である。
【考案の開示】
【考案が解決しようとする課題】
【０００３】
しかしながら、物件の表面に塗装を施す際、むらなく美しく仕上げると同時に、時間を無駄にしないようにするのは、作業者にとってかなり大きな負担となる。さらに、現在、市場に出回っているものや特許出願されている塗装台は、大型で重い設備がほとんどであるため、他の場所に移して長時間大量に塗装作業を行う場合、この設備の運搬が困難であり、塗装物件を何回にも分けて運ぶことになる。そして、その過程において、多くの問題が発生する。例えば、塗装物件が運送時に注意深く扱われ、積み卸しされているかどうかに注意しなければならない上、運搬の途中でぶつけないように保護する必要もある。塗装済みの物件はその場に一定時間置かれて、乾かされるため、上述のような細かな注意が払われないと、製品の品質、コストに影響する。さらに、運搬作業の人件費や、車両及びその他の経費あるいは時間等、いずれも業者にとっては頭の痛い問題である。
【課題を解決するための手段】
【０００４】
上記の課題を解決するため、本考案の組立式小型塗装作業用箱は、底板から伸びるように設置された延伸板、左右両側にそれぞれ設置された側面板、両側の側面板の上方及び背後にそれぞれ設置された天板及び背面板からなる箱型をしている。そして、箱の空間内にさらに蜂の巣型ろ過網板、内面板が設置されている。それぞれの板ははめ込み式で結合され、塗装物件が底板の前に伸びた延伸板の回転台の上に置かれて、回転しながら、塗装を施す。各板がはめ込み式で結合されることにより、組立や分解が便利でスピーディーに行われる上、分解後も場所を取らず、運搬もしやすい。
【０００５】
本考案の組立式小型塗装作業用箱は、箱内に送風機を組み合わせて、内面板の貫通穴の位置に設置している。さらに、伸縮ホースが側面板まで貫通していることで、塗装作業が行われている時、その塗料を含んだ空気が集中して箱の中に吸い込まれるため、塗料を含んだ空気が箱の外に拡散するのを防ぐという効果がある。
また、本考案の組立式小型塗装作業用箱は、箱内にランプホルダーが設置されているため、作業の仕上がりがよく見えるという効果がある。
さらに、本考案の組立式小型塗装作業用箱は、箱内に数個のクリップが設置されており、安定して置くことが難しい塗装物件をはさんで作業することが可能である。
【考案の効果】
【０００６】
本考案は、箱自身の構成が板をはめ込む方式で組み立てられているため、いつでも分解が可能である。分解後は、構成部分を重ねて置くと、作業場所への運搬がしやすい。作業場所でも、簡単に組み立てて、すぐに使用が可能である。したがって、組立と分解が便利でスピーディーに行えると同時に、分解後も場所を取らず、運搬にも便利であるため、実用性が高い。
【考案を実施するための最良の形態】
【０００７】
まず、図１、図２を参照して説明する。本考案の一実施例による組立式小型塗装作業用箱は、底板１、延伸板２、側面板３、天板４、斜め板４Ａ、ランプホルダー４Ｂ及び数個のクリップバー４Ｃ、背面板５、内面板６、送風機７、蜂の巣型ろ過網板８、回転台９からなる。底板１、天板４の周辺にはそれぞれ穴１１、穴４１が設置されていて、延伸板２、側面板３、背面板５の周辺にそれぞれ設置される突起部２１、突起部３１、突起部５１に対応してはめ込まれて結合する。また、底板１には２個のくぼみ槽１２、くぼみ槽１３が設置されていて、それぞれ蜂の巣型ろ過網板８、内面板６の底部にはめ込まれて固定される。側面板３の内面には折れた角が延びたスライド槽３２を有し、垂直の角度で内面板６の側面にはめ込まれる。さらに、斜めの角度で斜め板４Ａがはめ込まれる。また、内面板６に開けられた穴６１の位置には前方に通気性のあるリング６Ａ、フレーム６Ｂ及びろ過網６Ｃが取り付けられる。穴６１の位置の後方には送風機７が取り付けられて、送風機７の出口７１に連結された伸縮ホース７Ａが側面板３の穴孔３３を貫通する。天板４の面には数個の塗装用エアガンＡを置くための差込スタンド４２、穴４３が設置される。また、斜め板４Ａにはランプホルダー４Ｂ及び数個のクリップバー４Ｃが取り付けられる。
【０００８】
このように、底板１、２つの側面板３、天板４、背面板５を組み合わせて箱型にし、箱の空間内に斜め板４Ａ、内面板６、送風機７、蜂の巣型ろ過網板８が設置されて、延伸板２と底板が結合された後、回転台９が置かれる（図３と図４に示した通り）。塗装物件Ｂが底板１の前の延伸板２に設置された回転台９上に置かれて、回転しながら、塗装作業が行われる（図５に示した通り）。
【０００９】
さらに、本実施例の塗装作業用箱内にはランプホルダー４Ｂを有することにより、その照明により作業の状態がよく見える（図５に示した通り）。また、安定して置くことが難しい塗装物件や細長い物件の場合、箱内に取り付けられたクリップバー４Ｃに挟んで固定することができるため、塗装作業がしやすい（図６に示した通り）。そして、本考案の実施例において、幾重にも設置された蜂の巣型ろ過網板８、ろ過網６Ｃにより、噴霧された塗料を含んだ空気がろ過処理された後、送風機７によって吸い込まれることにより、箱の外の空気が汚染されることはない。
【００１０】
本実施例は、箱自身の構成が板をはめ込む方式で組み立てられているため、いつでも分解が可能である。分解後は、構成部分を重ねて置くと、作業場所への運搬がしやすい。作業場所でも、簡単に組み立てて、すぐに使用が可能である。したがって、組立と分解が便利でスピーディーに行えると同時に、分解後も場所を取らず、運搬にも便利である。この点で、従来の方式に比べ、実用性が高い。
【図面の簡単な説明】
【００１１】
【図１】本考案の一実施例による組立式小型塗装作業用箱を示す分解斜視図である。
【図２】本考案の一実施例による組立式小型塗装作業用箱の順に組み立てる状態を示す斜視図である。
【図３】本考案の一実施例による組立式小型塗装作業用箱の組み立てた後の状態を示す斜視図である。
【図４】本考案の一実施例による組立式小型塗装作業用箱の組み立て後の状態を示す側面図である
【図５】本考案の一実施例による組立式小型塗装作業用箱を示す模式図である。
【図６】本考案の一実施例による組立式小型塗装作業用箱を示す模式図である。
【符号の説明】
【００１２】
１：底板、２：延伸板、３：側面板、４：天板、４Ａ：斜め板、４Ｂ：ランプホルダー、４Ｃ：クリップバー、５：背面板、６：メョ面板、６Ａ：リング、６Ｂ：フレーム、６Ｃ：ろ過網、７：送風機、７Ａ：伸縮ホース、８：蜂の巣型ろ過網板、９：回転台、１１：穴、１２：くぼみ槽、１３：くぼみ槽、２１：突起部、３１：突起部、３２：スライド槽、３３：貫通穴、４１：穴、４２：差込スタンド、４３：穴、５１：突起部、６１：貫通穴、７１：出口、Ａ：塗装用エアガン、Ｂ：塗装物件
【図１】
0003132594.tif 000003
【図２】
0003132594.tif 000004
【図３】
0003132594.tif 000005
【図４】
0003132594.tif 000006
【図５】
0003132594.tif 000007
【図６】
0003132594.tif 000008